【手続補正書】
【提出日】平成27年7月27日(2015.7.27)
【手続補正１】
【補正対象書類名】特許請求の範囲
【補正対象項目名】全文
【補正方法】変更
【補正の内容】
【特許請求の範囲】
【請求項１】
圧縮機設備（６；９０；１００）であって、前記圧縮機設備（６；９０；１００）内で、前後に運動する圧縮機要素（１２；９２；１１２）によって作動媒体が周期的に圧縮される、圧縮機設備（６；９０；１００）と、
前記圧縮機要素（１２；９２；１１２）に機械的にまたは磁気的に連結される、駆動デバイス（８）と、を備える、圧縮機デバイス。
【請求項２】
請求項１に記載の圧縮機デバイスであって、
前記圧縮機設備（６；９０；１００）は、前記作動媒体用の補償コンテナ（２５）に接続されることを特徴とする、圧縮機デバイス。
【請求項３】
請求項２に記載の圧縮機デバイスであって、
前記圧縮機要素（１２；９２；１１２）は、前記圧縮機設備（６；９０；１００）を、第１のガス容積（１４）および第２のガス容積（１６）へと細分し、
前記作動媒体用の前記補償コンテナ（２５）は、前記第１のガス容積（１４）の方向に開口した逆止弁（２８）を介して前記第１のガス容積（１４）に接続されていること
を特徴とする、圧縮機デバイス。
【請求項４】
請求項３に記載の圧縮機デバイスであって、
前記作動媒体用の前記補償コンテナ（２５）は、前記第２のガス容積（１６）に直接接続されることを特徴とする、圧縮機デバイス。
【請求項５】
請求項３に記載の圧縮機デバイスであって、
前記第２のガス容積（１６；９６）は、管路（９４）を介して流体用の補償コンテナ（９８）に接続されることを特徴とする、圧縮機デバイス。
【請求項６】
請求項１〜５のいずれか１項に記載の圧縮機デバイスであって、
前記駆動デバイス（８）は制御デバイスを備え、前記制御デバイスによって所定のパターンに応じて前記作動媒体の圧縮を行うことを特徴とする、圧縮機デバイス。
【請求項７】
請求項６に記載の圧縮機デバイスであって、
前記所定のパターンは時間に応じて変化することを特徴とする、圧縮機デバイス。
【請求項８】
請求項１〜７のいずれか１項に記載の圧縮機デバイスであって、
前記圧縮機設備（６；９０；１００）はフィルタの後に接続されることを特徴とする、圧縮機デバイス。
【請求項９】
請求項１〜８のいずれか１項に記載の圧縮機デバイスであって、
前記作動媒体はヘリウムであることを特徴とする、圧縮機デバイス。
【請求項１０】
請求項１〜９のいずれか１項に記載の圧縮機デバイスであって、
前記駆動デバイス（８）は、複数の前記圧縮機設備（６−１、６−２）を駆動することを特徴とする、圧縮機デバイス。
【請求項１１】
請求項１〜１０のいずれか１項に記載の圧縮機デバイスであって、
前記駆動デバイス（８）および前記圧縮機設備（６）はそれぞれ、ガス密ハウジング（３６、１０；７２、１０）を有し、
前記２つのハウジング（３６、１０；７２、１０）はガス密状態で互いに接続されること
を特徴とする、圧縮機デバイス。
【請求項１２】
請求項１〜１１のいずれか１項に記載の圧縮機デバイスであって、
前記圧縮機設備（６；９０；１００）は、０．１〜１０Ｈｚの稼働周波数範囲、特に０．５〜５Ｈｚの稼働周波数範囲用に構成されることを特徴とする、圧縮機デバイス。
【請求項１３】
請求項１〜１２のいずれか１項に記載の圧縮機デバイスであって、
前記駆動デバイス（８）と前記圧縮機要素（１２；９２；１１２）との間の前記機械的連結は、剛性ピストン棒（１８）を介して達成されることを特徴とする、圧縮機デバイス。
【請求項１４】
請求項１〜１３のいずれか１項に記載の圧縮機デバイスであって、
前記圧縮機設備（６；９０；１００）は、配送用圧縮機設備として構成されることを特徴とする、圧縮機デバイス。
【請求項１５】
請求項１〜１４のいずれか１項に記載の圧縮機デバイスであって、
前記圧縮機要素は、ピストンデバイス（１２）を含むことを特徴とする、圧縮機デバイス。
【請求項１６】
請求項１５に記載の圧縮機デバイスであって、
前記圧縮機設備（６；９０）は線形ピストン圧縮機であることを特徴とする、圧縮機デバイス。
【請求項１７】
請求項１〜１６のいずれか１項に記載の圧縮機デバイスであって、
前記駆動デバイス（８）は、電気静油圧駆動デバイスであることを特徴とする、圧縮機デバイス。
【請求項１８】
請求項１７に記載の圧縮機デバイスであって、
電気静油圧駆動デバイス（８）は、電気モータ（３０）、および前記電気モータによって駆動されかつ液圧シリンダ（３６）に接続される液圧ポンプ（３２）を備え、
前記液圧シリンダ（３６）内には、液圧ピストン（３８）が直線的に可動に配設され、これにより前記液圧ピストン（３８）は、前記圧縮機設備（６）の前記圧縮機要素（１２）に機械的または磁気的に連結される
ことを特徴とする、圧縮機デバイス。
【請求項１９】
請求項１８に記載の圧縮機デバイスであって、
前記液圧シリンダ（３６）の運動方向は、前記電気モータ（３０）の回転方向によって制御されることを特徴とする、圧縮機デバイス。
【請求項２０】
請求項１〜１９のいずれか１項に記載の圧縮機デバイスであって、
前記駆動デバイス（８）は、連結棒（１８）を介して、前記圧縮機設備（６；９０）に機械的に接続され、
前記駆動デバイス（８）の反対を向いた前記連結棒（１８）の端部が、前記圧縮機要素として構成されていること
を特徴とする、圧縮機デバイス。
【請求項２１】
請求項１〜２０のいずれか１項に記載の圧縮機デバイスであって、
前記圧縮機要素（１２）は膜（１１２）を含むことを特徴とする、圧縮機デバイス。
【請求項２２】
請求項２１に記載の圧縮機デバイスであって、
前記膜（１１２）は金属からなることを特徴とする、圧縮機デバイス。
【請求項２３】
請求項１〜２２のいずれか１項に記載の圧縮機デバイスであって、
前記圧縮機要素はベローズ（９２）を備えることを特徴とする、圧縮機デバイス。
【請求項２４】
請求項１〜２３のいずれか１項に記載の圧縮機デバイス、およびギフォード・マクマホン冷凍機またはパルス管冷凍機を備える冷却デバイスであって、
圧縮機設備（６；９０；１００）は前記ギフォード・マクマホン冷凍機または前記パルス管冷凍機に連結される、冷却デバイス。
【請求項２５】
請求項２４に記載の冷却デバイスであって、
前記圧縮機設備（６）は高圧接続（１０２）を備え、
前記ギフォード・マクマホン冷凍機または前記パルス管冷凍機は、前記圧縮機設備（６；９０；１００）の前記高圧接続（１０２）に接続されること
を特徴とする、冷却デバイス。
【請求項２６】
請求項２４に記載の冷却デバイスであって、
前記圧縮機設備（６；９０；１００）は低圧接続（１０４）を備えること、および
前記ギフォード・マクマホン冷凍機または前記パルス管冷凍機は、前記圧縮機設備（６；９０；１００）の前記低圧接続（１０４）に接続される
ことを特徴とする、冷却デバイス。
【請求項２７】
請求項１〜２２のいずれか１項に記載の圧縮機デバイス（２；７０；７５；８０；８４；９０；１２０）、気化器（５６）および凝縮器（５２）を備える、特に従来の冷凍装置のための、圧縮機冷却ユニット。
【手続補正２】
【補正対象書類名】明細書
【補正対象項目名】００１８
【補正方法】変更
【補正の内容】
【００１８】
運動、圧力およびガス交換の周波数のいずれの所望のパターンを、電気静油圧駆動デバイスの制御の下で液圧シリンダに伝達できる。ガス交換の周波数は、いずれの共振周波数からも独立に、自由に調整できる。この様式では、このような圧縮機デバイスによって稼働される冷凍機のパフォーマンスを最適化でき、振動を最小化できる（請求項６および７）。
【手続補正３】
【補正対象書類名】明細書
【補正対象項目名】００３５
【補正方法】変更
【補正の内容】
【００３５】
図８は本発明の第８の実施形態の圧縮機設備１００を示す。圧縮機設備１００は単に、ピストン１２の形態の圧縮機要素を連結棒１８の端部上に再配設する点、およびベローズ９２を圧縮機要素１２に接続する点において、圧縮機設備９０と異なる。ピストン１２は、圧縮機シリンダ１０を第１のガス容積１４および第２のガス容積１６に分割し、作動媒体用の補償コンテナ２５は、ガス管路２６を介して第２のガス容積１６に直接接続され、逆止弁２８を備えたガス管路２７を介して、第１のガス容積１４に接続される。また、ダクト２４がガス密状態で構成される場合、ベローズ９２に封入されるガス容積９６を、補償コンテナ９８に接続しなければならない。
【手続補正４】
【補正対象書類名】明細書
【補正対象項目名】００３８
【補正方法】変更
【補正の内容】
【００３８】
連結棒１８を介した剛性機械的連結の代わりに、液圧ピストン３８および圧縮機要素１２を磁気的に互いに連結してよい。磁気連結は、圧縮機設備の圧縮機シリンダ１０内および液圧シリンダ３６内に連結棒１８用のダクト２４，４６を必要としないので、その結果として圧縮機シリンダ１０からヘリウムが流出することがほぼ不可能となる。
本発明は、たとえば、以下のような態様で実現することもできる。
適用例１：
圧縮機設備（６；９０；１００）であって、前記圧縮機設備（６；９０；１００）内で、前後に運動する圧縮機要素（１２；９２；１１２）によって作動媒体が周期的に圧縮される、圧縮機設備（６；９０；１００）と、
前記圧縮機要素（１２；９２；１１２）に機械的にまたは磁気的に連結される、駆動デバイス（８）と、を備える、圧縮機デバイス。
適用例２：
適用例１の圧縮機デバイスであって、
前記圧縮機設備（６；９０；１００）は、前記作動媒体用の補償コンテナ（２５）に接続されることを特徴とする、圧縮機デバイス。
適用例３：
適用例２の圧縮機デバイスであって、
前記圧縮機要素（１２；９２；１１２）は、前記圧縮機設備（６；９０；１００）を、第１のガス容積（１４）および第２のガス容積（１６）へと細分し、
前記作動媒体用の前記補償コンテナ（２５）は、前記第１のガス容積（１４）の方向に開口した逆止弁（２８）を介して前記第１のガス容積（１４）に接続されていること
を特徴とする、圧縮機デバイス。
適用例４：
適用例３の圧縮機デバイスであって、
前記作動媒体用の前記補償コンテナ（２５）は、前記第２のガス容積（１６）に直接接続されることを特徴とする、圧縮機デバイス。
適用例５：
適用例３の圧縮機デバイスであって、
前記第２のガス容積（１６；９６；１６、９６）は、管路（９４）を介して流体用の補償コンテナ（９８）に接続されることを特徴とする、圧縮機デバイス。
適用例６：
適用例１〜５のいずれか１項の圧縮機デバイスであって、
前記駆動デバイス（８）は制御デバイスを備え、前記制御デバイスによって所定のパターンに応じて前記作動媒体の圧縮を行うことを特徴とする、圧縮機デバイス。
適用例７：
適用例６の圧縮機デバイスであって、
前記所定のパターンは時間に応じて変化することを特徴とする、圧縮機デバイス。
適用例８：
適用例１〜７のいずれか１項の圧縮機デバイスであって、
前記圧縮機デバイス（６；９０；１００）はフィルタの後に接続されることを特徴とする、圧縮機デバイス。
適用例９：
適用例１〜８のいずれか１項の圧縮機デバイスであって、
前記作動媒体はヘリウムであることを特徴とする、圧縮機デバイス。
適用例１０：
適用例１〜９のいずれか１項の圧縮機デバイスであって、
前記駆動デバイス（８）は、複数の前記圧縮機設備（６−１、６−２）を駆動することを特徴とする、圧縮機デバイス。
適用例１１：
適用例１〜１０のいずれか１項の圧縮機デバイスであって、
前記駆動デバイス（８）および前記圧縮機設備（６）はそれぞれ、ガス密ハウジング（３６、１０；７２、１０）を有し、
前記２つのハウジング（３６、１０；７２、１０）はガス密状態で互いに接続されること
を特徴とする、圧縮機デバイス。
適用例１２：
適用例１〜１１のいずれか１項の圧縮機デバイスであって、
前記圧縮機設備（６；９０；１００）は、０．１〜１０Ｈｚの稼働周波数範囲、特に０．５〜５Ｈｚの稼働周波数範囲用に構成されることを特徴とする、圧縮機デバイス。
適用例１３：
適用例１〜１２のいずれか１項の圧縮機デバイスであって、
前記駆動デバイス（８）と前記圧縮機要素（６；９０；１００）との間の前記機械的連結は、剛性ピストン棒（１８）を介して達成されることを特徴とする、圧縮機デバイス。
適用例１４：
適用例１〜１３のいずれか１項の圧縮機デバイスであって、
前記圧縮機設備（６；９０；１００）は、配送用圧縮機設備として構成されることを特徴とする、圧縮機デバイス。
適用例１５：
適用例１〜１４のいずれか１項の圧縮機デバイスであって、
前記圧縮機要素は、ピストンデバイス（１２）を含むことを特徴とする、圧縮機デバイス。
適用例１６：
適用例１５の圧縮機デバイスであって、
前記圧縮機設備（６；９０）は線形ピストン圧縮機であることを特徴とする、圧縮機デバイス。
適用例１７：
適用例１〜１６のいずれか１項の圧縮機デバイスであって、
前記駆動デバイス（８）は、電気静油圧駆動デバイスであることを特徴とする、圧縮機デバイス。
適用例１８：
適用例１７の圧縮機デバイスであって、
電気静油圧駆動デバイス（８）は、電気モータ（３０）、および前記電気モータによって駆動されかつ液圧シリンダ（３６）に接続される液圧ポンプ（３２）を備え、
前記液圧シリンダ（３６）内には、液圧ピストン（３８）が直線的に可動に配設され、これにより前記液圧ピストン（３８）は、前記圧縮機設備（６）の前記圧縮機要素（１２）に機械的または磁気的に連結される
ことを特徴とする、圧縮機デバイス。
適用例１９：
適用例１８の圧縮機デバイスであって、
前記液圧シリンダ（３６）の運動方向は、前記電気モータ（３０）の回転方向によって制御されることを特徴とする、圧縮機デバイス。
適用例２０：
適用例１〜１９のいずれか１項の圧縮機デバイスであって、
前記駆動デバイス（８）は、連結棒（１８）を介して、前記圧縮機設備（６；９０）に機械的に接続され、
前記駆動デバイス（８）の反対を向いた前記連結棒（１８）の端部が、前記圧縮機要素として構成されていること
を特徴とする、圧縮機デバイス。
適用例２１：
適用例１〜２０のいずれか１項の圧縮機デバイスであって、
前記圧縮機要素（１２）は膜（１１２）を含むことを特徴とする、圧縮機デバイス。
適用例２２：
適用例２１の圧縮機デバイスであって、
前記膜（１１２）は金属からなることを特徴とする、圧縮機デバイス。
適用例２３：
適用例１〜２２のいずれか１項の圧縮機デバイスであって、
前記圧縮機要素はベローズ（９２）を備えることを特徴とする、圧縮機デバイス。
適用例２４：
適用例１〜２３のいずれか１項の圧縮機デバイス、およびギフォード・マクマホン冷凍機またはパルス管冷凍機を備える冷却デバイスであって、
圧縮機設備（６；９０；１００）は前記ギフォード・マクマホン冷凍機または前記パルス管冷凍機に連結される、冷却デバイス。
適用例２５：
適用例２４の冷却デバイスであって、
前記圧縮機設備（６）は高圧接続（１０２）を備え、
前記ギフォード・マクマホン冷凍機または前記パルス管冷凍機は、前記圧縮機設備（６；９０；１００）の前記高圧接続（１０２）に接続されること
を特徴とする、冷却デバイス。
適用例２６：
適用例２４の冷却デバイスであって、
前記圧縮機設備（６；９０；１００）は低圧接続（１０４）を備えること、および
前記ギフォード・マクマホン冷凍機または前記パルス管冷凍機は、前記圧縮機設備（６）の前記低圧接続（１０４）に接続される
ことを特徴とする、冷却デバイス。
適用例２７：
適用例１〜２２のいずれか１項の圧縮機デバイス（２；７０；７５；８０；８４；９０；１２０）、気化器（５６）および凝縮器（５２）を備える、特に従来の冷凍装置のための、圧縮機冷却ユニット。